(57)【特許請求の範囲】
【請求項１】
表示画面を有する長方形状の表示装置本体と、
前記表示装置本体と略同一サイズの長方形で、表面に長辺方向を縦方向とする仕様のキーボードからなる表面入力部を有し、裏面に長辺方向を横方向とする仕様のキーボードからなる裏面入力部を有する入力装置本体と、
前記表示装置本体と前記入力装置本体のそれぞれの長辺部を連結するヒンジ機構とを有し、
前記ヒンジ機構は、前記表示装置本体と前記入力装置本体の長辺方向を軸心とする第１の枢支部と、前記長辺部の中央で前記第１の枢支部と直角となる方向を軸心とする第２の枢支部とで、両装置本体を回動自在とし、
前記表示画面は、前記表面入力部と同じ向きにあるときに、長辺方向を縦向きとして表示を行い、前記裏面入力部と同じ向きにあるときに、長辺方向を横向きとして表示を行うように表示を切り替えることを特徴とする携帯情報機器。
【請求項２】
前記表面入力部を使用する形態のとき、前記裏面入力部を入力不能にロックし、前記裏面入力部を使用する形態のとき、前記表面入力部を入力不能にロックするロック手段を備えていることを特徴とする請求項１記載の携帯情報機器。
【請求項３】
前記ロック手段は、ヒンジ機構に設けられたセンサによって作動することを特徴とする請求項１または２記載の携帯情報機器。
【請求項４】
前記表示装置本体と前記入力装置本体とは回動可能に枢支され、この枢支部に両面に入力機能を有するタブレットを回動自在に枢支し、前記タブレットは前記表示画面または入力部に重ねることができることを特徴とする請求項１記載の携帯情報機器。
【請求項５】
前記表面入力部を入力可能にする形態であるのか、前記裏面入力部を入力可能にする形態であるのかを検出する検出手段を具備したことを特徴とする請求項１〜４のいずれかに記載の携帯情報機器。
【請求項６】
前記検出手段によって表面入力部を使用する形態であることが検出された場合には前記裏面入力部を入力不能にロックし、また、前記検出手段で裏面入力部を使用する形態であることが検出された場合には前記表面入力部を入力不能にロックするように制御する入力制御手段と、
前記検出手段で表面入力部を使用する形態であることが検出された場合には前記表示画面への表示を縦向き用に処理し、また、前記検出手段で裏面入力部を使用する形態であることが検出された場合には前記表示画面への表示を横向き用に処理するように制御する表示制御手段と
を具備したことを特徴とする請求項５記載の携帯情報機器。
【発明の詳細な説明】
【０００１】
【発明の属する技術分野】
この発明は、例えば、ノートパソコン、携帯情報端末（ＰＤＡ：Personal  Digital  Assistant）等の携帯情報機器に関する。
【０００２】
【従来の技術】
携帯情報機器は、機器本体が小型軽量、薄型で、携帯に便利であるとともに、スケジュール管理、アドレス帳、メモ機能、メール機能等を有し、さらにパソコンと情報の授受を行えるなど多機能化されている。さらに、機器本体にコンパクトディスクをセットして音声を再生して楽しむことができるものも知られている。
【０００３】
携帯情報機器は、例えば、特開平７−１６８６６７号公報に示すように、液晶表示画面の表示部を有する表示装置と、キーボード等の入力部を有する入力装置とからなり、表示装置に対して入力装置がヒンジ機構によって回動自在に枢支されている。
【０００４】
そして、携帯状態での使用時には、片手で機器本体を持ち、もう片方の手で入力操作を行い、非携帯状態での使用時には機器本体を机上等に置いて両手または片手で操作を行っている。また、キーボード等の入力専用の装置に代わって表示装置にタッチスクリーンを備え、タッチスクリーンにペンタッチで入力し、入力情報を表示装置に表示するものもある。
【０００５】
さらに、非携帯状態での使用時のみに入力装置が十分な大きさになり、携帯時には入力装置を回転させたり、折り畳むことにより、表示装置に格納できるものも提案されている。
【０００６】
【発明が解決しようとする課題】
しかしながら、携帯情報機器は、その名のとおり携帯及び携帯状態での使用に便利なように機器本体が小型化されている。従って、非携帯状態での使用時に機器本体を机上等に置いて使用する場合、入力装置を構成するキーボードのキーが狭いスペースに密集して設けられているため、入力し難く、入力ミスが発生し易い。
【０００７】
また、携帯時に入力装置を格納してしまう機器は、携帯状態では入力装置が使用できないという問題がある。
【０００８】
さらに、タッチスクリーンのように、表示装置に入力機能を持たせたものは、入力操作のための入力指示等の表示を行うために、入力操作を行っている部分と情報出力の表示を重ならないようにする場合に、表示装置で表示機能の一部が情報出力のための表示に利用できない。また、入力操作を行っている部分と情報出力の表示を重ねてしまうと、それぞれ独立した入力操作と出力表示が判り難く、操作性が悪いという問題がある。
【０００９】
この発明は、前記事情に着目してなされたもので、その目的とするところは、携帯状態での使用及び非形態状態での使用においても、操作性が優れた携帯情報機器を提供することにある。
【００１０】
【課題を解決するための手段】
この発明は、前記目的を達成するために、表示画面を有する長方形状の表示装置本体と、前記表示装置本体と略同一サイズの長方形で、表面に長辺方向を縦方向とする仕様のキーボードからなる表面入力部を有し、裏面に長辺方向と横方向とする仕様のキーボードからなる裏面入力部を有する入力装置本体と、前記表示装置本体と前記入力装置本体のそれぞれの長辺部を連結するヒンジ機構とを有し、前記ヒンジ機構は、前記表示装置本体と前記入力装置本体の長辺方向を軸心とする第１の枢支部と、前記長辺部の中央で前記第１の枢支部と直角となる方向を軸心とする第２の枢支部とで、両装置本体を回動自在とし、前記表示画面は、前記表面入力部と同じ向きにあるときに、長辺方向を縦向きとして表示を行い、前記裏面入力部と同じ向きにあるときに、長辺方向を横向きとして表示を行うように表示を切り替えることを特徴とする携帯情報機器にある。
【００１１】
前記構成によれば、機器を携帯状態で使用する場合、表示装置を縦向きにして片手で機器を持ち、もう片方の手で表面入力部を操作し、非形態状態で使用する場合、入力装置を反転して裏面入力部を表面とし、表示装置を横向きにして機器を机上等に置いて裏面入力部を操作することができる。
【００１２】
【発明の実施の形態】
以下、この発明の各実施の形態を図面に基づいて説明する。
【００１３】
図１〜図４は第１の実施形態を示し、図１は携帯情報機器としての携帯情報端末（ＰＤＡ：Personal  Digital  Assistant）を縦向きにして開いた状態の斜視図、図２は横向きにして開いた状態の斜視図、図３は入力装置を反転している途中の斜視図、図４はヒンジ機構の断面図である。
【００１４】
図１〜図３に示すように、携帯情報端末１は、液晶表示部２を有する表示装置３と、入力部４を有する入力装置５とから構成されている。表示装置３は、長方形状の表示装置本体６の表面に表示画面７が設けられている。また、入力装置５は、表示装置本体６と同一サイズの長方形状の入力装置本体８を有し、この入力装置本体８の表面には縦方向仕様のキーボードからなる表面入力部４ａが設けられ、裏面の全面には横方向仕様のキーボードからなる裏面入力部４ｂが設けられている。表面入力部４ａと裏面入力部４ｂは同等の入力機能を有し、いずれの入力部４ａ，４ｂから入力しても、その入力情報が液晶表示部２に表示されるようになっている。
【００１５】
表示装置本体６の長辺部６ａと入力装置本体８の長辺部８ａとはヒンジ機構９を介して連結されている。ヒンジ機構９は、図４に示すように、表示装置本体６と入力装置本体８の長辺方向を軸心として回動自在な第１の枢支部１０と、表示装置本体６と入力装置本体８の短辺方向を軸心として回動自在な第２の枢支部１１とを備えている。
【００１６】
第１の枢支部１０は表示装置本体６に固定され、その長辺方向に延長するにヒンジ軸１２に対して回転筒１３が回動自在に嵌合されている。回転筒１３にはボール１４が固定され、このボール１４には入力装置本体８に設けられた凹球面部１５が回転自在に連結されている。従って、表示装置本体６を基準とすると、入力装置本体８がヒンジ軸１２を支点として回動自在であるとともに、入力装置本体８がボール１４を支点としてヒンジ軸１２の軸心に対して直角方向に回転自在であり、入力装置本体８が表面入力部４ａと裏面入力部４ｂのいずれも表側（表示画面７側）にできるように反転可能である。
【００１７】
さらに、ボール１４と凹球面部１５との間には表示装置本体６に対する入力装置本体８の回転角を検知するセンサ１６が設けられている。このセンサ１６は入力装置本体８が表示装置本体６に対してどの向きにあるかを検知し、表面入力部４ａが表側にあるとき、裏面入力部４ｂを入力不能にロックし、裏面入力部４ａが表側にあるとき、表面入力部４ａを入力不能に電気的にロックするロック手段と接続されている。ロック手段は、キーを機械的にロックする場合でもよく、キースイッチをオフ状態する方法でもよい。
【００１８】
次に、第１の実施形態の作用について説明する。
【００１９】
図１は携帯情報端末１を携帯状態で使用する場合であって、表示装置本体６を縦向きにして片手で把持し、入力装置本体８の表面入力部４ａをもう片方の手で入力操作する場合であり、表面入力部４ａに入力された情報は表示画面７には縦向きに表示される。このとき、手指が裏面入力部４ｂに触れてキー操作してしまうことがあるが、センサ１６が表面入力部４ａが表側にあることを検知し、裏面入力部４ｂを入力不能にロックしているため、入力されることはない。
【００２０】
また、図３に示すように、表示装置本体６に対して表示装置本体８を第２の枢支部１１としてのボール１４を支点として反転し、図２に示すように、裏面入力部４ｂを表側にすると、裏面入力部４ｂは横向き仕様となり、携帯情報端末１を机上等に載置したとき、表示装置本体６も横向きとなる。従って、入力装置本体８の裏面入力部４ｂを手指で入力操作すると、裏面入力部４ｂに入力された情報は表示画面７には横向きに表示される。このとき、表面入力部４ａが机上面に当たってキー操作してしまうことがあるが、センサ１６が裏面入力部４ｂが表側にあることを検知し、表面入力部４ａを入力不能にロックしているため、入力されることはない。
【００２１】
このように構成することにより、携帯情報端末１は、表示装置本体６に対して入力装置本体８が反転可能であるため、携帯状態での使用の際には表示装置本体６を縦向きにし、非携帯状態で、机上での操作の際には表示装置本体６を横向きにして使用することができる。また、入力装置本体８を横向き状態で使用する裏面部４ｂは入力装置本体８の全面にキーボードが設けられているため、両手で操作するに十分なキーの大きさおよびレイアウトであるため、操作しやすく、入力ミスも少ない。
【００２２】
なお、第１の実施形態においては、入力装置本体８の反転角度をセンサ１６が検知し、裏面側の入力部を入力不能にロックするようにしたが、選択キーを設け、選択キー操作によって裏面側の入力部をロックするようにしてもよい。また、ヒンジ機構９は一例を示したまでであり、この機構に限定するものではない。
【００２３】
図５は表示装置３及び入力装置５のブロック図を示し、図６はフローチャートである。図５に示すように、入力制御部４ｃは、使用状態に応じて表面入力部４ａと裏面入力部４ｂを制御するものであり、第１の使用形態では裏面入力部４ｂからの入力操作を不能にするとともに、表面入力部４ａで入力された文字コードを制御部２０に渡す機能及び第２の使用形態では表面入力部４ａからの入力操作を不能にするとともに、裏面入力部４ｂで入力された文字コードを制御部２０に渡す機能を有する。前記制御部２０は携帯情報端末１全体の制御を行うものである。
【００２４】
表示制御部２ａは、使用状態に応じて液晶表示部２への表示を制御するものであり、第１の使用状態では図示しないＶＲＡＭから読み出したビットマップデータを縦向き表示の場合には変換を行わずに液晶表示部２へ送る機能及び第２の使用状態では図示しないＶＲＡＭから読み出したビットマップデータを横向き表示用に変換を行って液晶表示部２へ送る機能を有する。
例）ビットマップデータ上の（ｘ，ｙ）データを液晶表示部で表す処理について
この場合、液晶表示部の大きさを２４０×３２０ドット（縦向き）とする。
【００２５】
0003648476.tif 000002
となる。
【００２６】
次に、図６に示す制御フローチャートについて説明する。
Ｓ１０…センサ１６で検出した内容を制御部２０で判断して第１の使用形態にあるのか、第２の使用形態にあるのかを判断する。ここで第１の使用形態であると判断した場合（Ｙ）は処理はＳ１１へ進み、そうでないと判断した場合（Ｎ）は処理はＳ１４へ進む。
Ｓ１１…入力制御部４ｃは、制御部２０を介して現在の使用状態に関する情報を得る。ここで得た情報が第１の使用形態を示す場合には、入力制御部４ｃは裏面入力部４ｂをロックする。
Ｓ１２…それとともに、表面入力部４ａを使用状態にする。
【００２７】
Ｓ１３…表示制御部２ａは、制御部２０を介して現在の使用形態に関する情報を得る。ここで得た情報が第１の使用形態を示す場合には、縦向き用の表示制御を行い図示しないＶＲＡＭから得たビットマップデータを変換せずに液晶表示部２へ表示する。
Ｓ１４…入力制御部４ｃは、制御部２０を介して現在の使用形態に関する情報を得る。
ここで得た情報が第２の使用形態を示す場合には、入力制御部４ｃは表面入力部４ａをロックする。
Ｓ１５…それとともに、裏面入力部４ｂを使用状態にする。
【００２８】
Ｓ１６…表示制御部２ａは、制御部２０を介して現在の使用形態に関する情報を得る。ここで得た情報が第２の使用形態を示す場合には、横向き用の表示制御を行い図示しないＶＲＡＭから得たビットマップデータを変換処理して液晶表示部２へ表示する。
図７〜図９は第２の実施形態を示し、図７は携帯情報端末を開いた状態の斜視図、図８はタブレットを表示装置に重ねた状態の斜視図、図９はタブレットを操作装置に重ねた状態の斜視図であり、第１の実施形態と同一構成部分は同一番号を付して説明を省略する。
【００２９】
表示装置本体６と入力装置本体８とを回動自在及び反転自在に枢支するヒンジ機構９にはピン等で入力操作が可能なタッチスクリーンとしてのタブレット１７が回動自在に枢支されている。タブレット１７は矩形状の枠１８に透明電極を有する透明シート１９とからなり、表示画面７に重ね、この透明シート１９の上からペン等によってタッチすることにより、その入力情報が表示画面７に表示される。また、タブレット１７を裏面入力部４ｂに重ね、タッチスクリーンまたはタッチパッドとしての機能を持つ入力装置が可能となる。なお、タブレット１７を裏面入力部４ｂに重ねた状態を示しているが、入力装置本体８は反転自在であるため、表面入力部４ａに重ねることも可能である。
【００３０】
また、図７〜図９は携帯情報端末１を非携帯状態で使用する場合を示しているが、表示装置本体６を縦向きにして片手で把持し、入力装置本体８の表面入力部４ａあるいはタブレット１７をもう片方の手で入力操作する場合においても、入力された情報は液晶画面７に縦向きに表示される。このとき、手指が裏面入力部４ｂに触れてキー操作してしまうことがあるが、センサ１６が表面入力部４ａが表側にあることを検知し、裏面入力部４ｂを入力不能にロックしているため、入力されることはない。
【００３１】
なお、携帯情報機器としてＰＤＡ等の携帯情報端末について説明したが、この発明はノートパソコン等の各種携帯情報機器に適用できる。
【００３２】
【発明の効果】
以上説明したように、この発明によれば、機器を携帯状態で使用する場合、表示装置を縦向きにして片手で機器を持ち、もう片方の手で表面入力部を操作し、非形態状態で使用する場合、入力装置を反転して裏面入力部を表面とし、表示装置を横向きにして機器を机上等に置いて裏面入力部を操作することができる。従って、異なる使用状態でそれぞれ使い易い携帯情報機器を実現可能となる。
【図面の簡単な説明】
【図１】この発明の第１の実施形態を示し、携帯情報端末を縦向きにして開いた状態の斜視図。
【図２】同実施形態の携帯情報端末を横向きにして開いた状態の斜視図。
【図３】同実施形態の入力装置を反転している途中の斜視図。
【図４】同実施形態のヒンジ機構の断面図。
【図５】同実施形態の表示装置及び入力装置のブロック図。
【図６】同実施形態のフローチャート。
【図７】この発明の第２の実施形態を示し、携帯情報端末を開いた状態の斜視図。
【図８】同実施形態のタブレットを表示装置に重ねた状態の斜視図。
【図９】同実施形態のタブレットを操作装置に重ねた状態の斜視図。
【符号の説明】
１…携帯情報端末
３…表示装置
５…入力装置
４ａ…表面入力部
４ｂ…裏面入力部
９…ヒンジ機構
【図１】
0003648476.tif 000003
【図２】
0003648476.tif 000004
【図３】
0003648476.tif 000005
【図４】
0003648476.tif 000006
【図５】
0003648476.tif 000007
【図６】
0003648476.tif 000008
【図７】
0003648476.tif 000009
【図８】
0003648476.tif 000010
【図９】
0003648476.tif 000011